(57)【要約】【課題】  スライド操作体のがたつきを軽減し、該スライド操作体の操作感を向上することができる出没式筆記具を提供する。【解決手段】  軸筒周壁には、該周壁を径方向に貫通するとともにスライド操作体２０の進退を案内する案内孔１２ｂが設けられ、スライド操作体２０は、軸筒軸方向へわたって軸筒外面に近接又は接触するように延設された外側片部２１と、軸筒軸方向へわたって軸筒内面に近接又は接触するように延設された内側片部２２と、案内孔１２ｂに挿通されて外側片部２１と内側片部２２とを接続する接続部２３とを一体的に具備してなる。【選択図】図１
2010173244.tif 000002
【特許請求の範囲】
【請求項１】
軸筒と、該軸筒の外周部に露出された状態で進退可能なスライド操作体と、前記軸筒に内在され前記スライド操作体に押圧されて前進可能な押子と、該押子に接続されたリフィールとを備え、前記スライド操作体の前進に伴って前記押子及び前記リフィールを前進させ、前記軸筒の前端部からリフィール前端の筆記部を突出させるようにした出没式筆記具において、
軸筒周壁には、該周壁を径方向に貫通するとともに前記スライド操作体の進退を案内する案内孔が設けられ、
前記スライド操作体は、軸筒軸方向へわたって軸筒外面に近接又は接触するように延設された外側片部と、軸筒軸方向へわたって軸筒内面に近接又は接触するように延設された内側片部と、前記案内孔に挿通されて前記外側片部と前記内側片部とを接続する接続部とを一体的に具備してなることを特徴とする出没式筆記具。
【請求項２】
前記外側片部と前記内側片部との間を、軸筒周壁における前記案内孔よりも前側の部分に遊嵌することを特徴とする請求項１記載の出没式筆記具。
【請求項３】
前記案内孔の前部側には、その後部側よりも軸筒周方向の幅を狭くした幅狭部が形成され、
前記スライド操作体は、前進した際に前記接続部を前記幅狭部に遊嵌することを特徴とする請求項１又は２記載の出没式筆記具。
【請求項４】
前記押子の軸筒遠心方向側の部分に係合部を設けるとともに、前記スライド操作体の軸筒求心方向側の部分には、前記係合部に対し軸筒軸方向へわたって凹凸状に嵌り合う被係合部を設けたことを特徴とする請求項１乃至３何れか１項記載の出没式筆記具。
【請求項５】
前方へ移動した際の前記押子を軸筒求心方向へ移動させて軸筒周壁の係止部に係止するようにした出没式筆記具であって、
前記スライド操作体における前記被係合部よりも後部側には、前記押子の後端部に摺接して該後端部を前記軸筒求心方向へ移動させる傾斜面が形成されていることを特徴とする請求項４項記載の出没式筆記具。
【請求項６】
前記スライド操作体を軸筒周方向に間隔を置いて３以上設け、これらスライド操作体の後端部を前記軸筒の後端部よりも後方へ突出させるとともに、その突出量を３以上の前記スライド操作体について略同一にしたことを特徴とする請求項１乃至５何れか１項記載の出没式筆記具。
【発明の詳細な説明】
【技術分野】
【０００１】
本発明は、軸筒の後端側に露出されるスライド操作体に対する前進操作により軸筒内のリフィールを前進させ、該リフィール前端の筆記部を軸筒前端から突出させるようにした出没式筆記具に関するものである。
【背景技術】
【０００２】
従来、この種の出没式筆記具は、例えば特許文献１に記載されたもののように、外部操作により押子（４２）を前方へ押動させて、該押子（４２）と一体的な筆記部（２１）を軸筒（１０）の前端から突出させるとともに、その際、押子（４２）を軸筒求心方向へ沈み込ませて軸筒周壁の係止部（１２）に掛止するようにした構造が一般的である。
ところで、前記出没式筆記具によれば、筆記部（２１）を突出させる操作の際に、前述したように前記押子（４２）が軸筒求心方向へ沈み込み、押子（４２）が係止部（１２）に係止される前に、該押子（４２）が指から離れてしまうため、安定した操作感が得られない上、押子（４２）が係止部（１２）にうまく係止されないことがある。
【０００３】
そこで、例えば特許文献２に記載される発明では、軸筒の軸心に対し略平行に前進するスライド駒（２２）を設けるとともに該スライド駒（２２）の内側に傾斜面（３２）を設け、この傾斜面（３２）に押子（摺動体１５）を摺接させて、該押子（摺動体１５）を軸筒求心方向へ沈み込ませるようにしている。
したがって、この従来技術によれば、スライド駒（２２）が指から離れるようにして軸筒求心方向へ移動することがない。
【０００４】
しかしながら、後者の従来技術によれば、スライド駒（２２）が前進する際にがたつく場合があり、特に前記スライド駒を前後方向へ比較的長めに形成した場合には前記がたつきがより大きくなる傾向にあった。
【先行技術文献】
【特許文献】
【０００５】
【特許文献１】特開２００５−１１１８７６号公報
【特許文献２】特開２００３−２６６９９２号公報
【発明の概要】
【発明が解決しようとする課題】
【０００６】
本発明は上記従来事情に鑑みてなされたものであり、その課題とする処は、スライド操作体のがたつきを軽減し、該スライド操作体の操作感を向上することができる出没式筆記具を提供することにある。
【課題を解決するための手段】
【０００７】
上記課題を解決するための技術的手段は、軸筒と、該軸筒の外周部に露出された状態で進退可能なスライド操作体と、前記軸筒に内在され前記スライド操作体に押圧されて前進可能な押子と、該押子に接続されたリフィールとを備え、前記スライド操作体の前進に伴って前記押子及び前記リフィールを前進させ、前記軸筒の前端部からリフィール前端の筆記部を突出させるようにした出没式筆記具において、軸筒周壁には、該周壁を径方向に貫通するとともに前記スライド操作体の進退を案内する案内孔が設けられ、前記スライド操作体は、軸筒軸方向へわたって軸筒外面に近接又は接触するように延設された外側片部と、軸筒軸方向へわたって軸筒内面に近接又は接触するように延設された内側片部と、前記案内孔に挿通されて前記外側片部と前記内側片部とを接続する接続部とを一体的に具備してなることを特徴とする。
この構成によれば、スライド操作体の前進中及び停止中、スライド操作体の外側片部と内側片部とが軸筒周壁を挟むようにして軸筒周壁の内外に近接又は接触する。よって、スライド操作体が軸筒径方向へがたつくようなことを防止して、スライド操作体を軸筒軸心と略平行に安定的に前進させることができる。
【０００８】
更なる技術的手段では、前記外側片部と前記内側片部との間を、軸筒周壁における前記案内孔よりも前側の部分に遊嵌することを特徴とする。
この構成によれば、スライド操作体が前進すればするほど、該スライド操作体の外側片部と内側片部の間が、軸筒周壁の案内孔よりも前側の部分に対し深く嵌り合ってゆく。よって、スライド操作体が前進中に軸筒径方向へがたつくようなことをより効果的に防止して、スライド操作体を軸筒軸心と略平行に安定的に前進させることができる。
【０００９】
更なる技術的手段では、前記案内孔の前部側には、その後部側よりも軸筒周方向の幅を狭くした幅狭部が形成され、前記スライド操作体は、前進した際に前記接続部を前記幅狭部に遊嵌することを特徴とする。
この構成によれば、スライド操作体が前進するにしたがって幅狭部に嵌り合い、軸筒周方向へのがたつきが抑制される。
【００１０】
更なる技術的手段では、前記押子の軸筒遠心方向側の部分に係合部を設けるとともに、前記スライド操作体の軸筒求心方向側の部分には、前記係合部に対し軸筒軸方向へわたって凹凸状に嵌り合う被係合部を設けたことを特徴とする。
この構成によれば、スライド操作体が押子に対し軸筒周方向へがたつくようなことを、軸筒軸方向へわたって凹凸状に嵌り合う係合部と被係合部によって防ぐことができる。
【００１１】
更なる技術的手段では、前方へ移動した際の前記押子を軸筒求心方向へ移動させて軸筒周壁の係止部に係止するようにした出没式筆記具であって、前記スライド操作体における前記被係合部よりも後部側には、前記押子の後端部に摺接して該後端部を前記軸筒求心方向へ移動させる傾斜面が形成されていることを特徴とする。
この構成によれば、前方へ移動した際の押子が、スライド操作体の傾斜面に摺接されて軸筒求心方向へ移動し、軸筒周壁の係止部に係止する。よって、スライド操作体を軸筒求心方向へ移動させる必要がなく、スライド操作体に対する操作感を良好にすることができる。
【００１２】
更なる技術的手段では、前記スライド操作体を軸筒周方向に間隔を置いて３以上設け、これらスライド操作体の後端部を前記軸筒の後端部よりも後方へ突出させるとともに、その突出量を３以上の前記スライド操作体について略同一にしたことを特徴とする。
この構成によれば、３以上のスライド操作体の後端部を下方へ向け机上等の平坦面上に当接させて、当該出没式筆記具を直立させることができる。
【発明の効果】
【００１３】
本発明は、以上説明したように構成されているので、以下に記載されるような作用効果を奏する。
スライド操作体のがたつきを軽減して、該スライド操作体を軸筒軸心と略平行に安定した状態で前進させることができ、ひいては、スライド操作体の操作感を向上することができる。
【図面の簡単な説明】
【００１４】
【図１】本発明に係る筆記具の一例を示す縦断面図である。
【図２】同筆記具の案内孔を示す側面図である。
【図３】同筆記具の要部縦断面図であり、（ａ）はスライド操作体が後退した状態を示し、（ｂ）は同スライド操作体が前進した状態を示す。
【図４】図３における(I)-(I)〜(VIII)-(VIII)の各切断線に沿う端面図を、(I)〜(VIII)の各々に示す。
【図５】図３における(IX)-(IX)〜(XIII)-(XIII)の各切断線に沿う端面図を、(IX)〜(XIII)の各々に示す。
【図６】スライド操作体の一例を示す斜視図である。
【図７】押子の一例を示す側面図である。
【図８】同押子の後端面図である。
【図９】係止部の一例を示す要部拡大斜視図。
【図１０】軸筒とスライド操作体の間に被挟持物を挟持した状態を示す要部側面図である。
【図１１】当該筆記具を平坦面に直立させた状態を示す要部側面図である。
【発明を実施するための形態】
【００１５】
以下、本発明の実施の形態を図面に基づいて説明する。
この筆記具Ａは、軸筒１０と、該軸筒１０の外周部に露出された状態で進退可能なスライド操作体２０と、前記スライド操作体２０に押圧されて軸筒１０内で前進可能な押子３０と、該押子３０に接続されたリフィール４０と、押子３０及びリフィール４０を後方へ付勢する付勢部材５０とを備え、スライド操作体２０の前進に伴って押子３０及びリフィール４０を前進させ、軸筒１０の前端部からリフィール４０前端の筆記部４１を突出させるようにした出没式筆記具である。
【００１６】
なお、本明細書中、「前方」とは、軸筒１０の軸方向において筆記部４１が突出する方向（図１によれば下方）を意味し、「後方」とは、前記「前方」に対する逆方向を意味するものとする。
また、本明細書中、「軸筒求心方向」とは軸筒１０の中心に接近する方向（換言すれば縮径方向）を意味し、「軸筒遠心方向」とは軸筒１０の中心から離れる方向（換言すれば拡径方向）を意味する。
【００１７】
また、本明細書中、「前進位置」とは、前進した押子３０が後軸１２の係止部１２ｆに掛止された状態を示す。
また、本明細書中、「後退位置」とは、付勢部材５０の付勢力によって押子３０が後退限界位置まで後退した状態を示す。
【００１８】
また、スライド操作体２０、押子３０、リフィール４０、付勢部材５０は、周方向に間隔を置いて複数（例えば３つ）設けられるが、図１によれば単数のみ図示し他のものを省略することで、当該筆記具Ａの特徴的な内部構造を明瞭に表現している。
【００１９】
軸筒１０は、前軸１１と後軸１２とを、継手部材１３及びリング部材１５を介して軸方向に接続してなる。
【００２０】
前軸１１は、合成樹脂材料から成形され、前端側に先細筒状の先口部１１ａを有するとともに、後端側内周面を、後述する継手部材１３の前端側に螺合接続している。
【００２１】
後軸１２は、前軸１１と同様の合成樹脂材料から略筒状に形成される。この後軸１２の前端側内周面は、後述する継手部材１３の後端側に嵌合されている。
【００２２】
後軸１２の後端側の周壁には、軸筒径方向に貫通するとともにスライド操作体２０及び押子３０の進退を案内する案内孔１２ｂが形成されている（図１及び２参照）。また、後軸１２の後端開口部は、尾栓１４によって閉鎖されている。
【００２３】
案内孔１２ｂは、スライド操作体２０及び押子３０を進退可能に係合させるように形成された貫通孔であり、図示例によれば軸方向へわたる長尺状に形成されている。
より詳細に説明すれば、この案内孔１２ｂは、図２に示すように、後端側から前端側（図２の上側から下側）にかけて段階的に幅を狭くするように、幅広部１２ｂ１と、中間幅部１２ｂ２と、幅狭部１２ｂ３とを連接してなる。
【００２４】
最前端側の前記幅狭部１２ｂ３における軸筒周方向（図２によれば左右方向）の幅は、スライド操作体２０の接続部２３（図６参照）に近接又は接触する程度の寸法に設定されている。
【００２５】
幅広部１２ｂ１には、スライド操作体２０及び押子３０を軸筒軸方向へ案内する案内係合部１２ｃや、押子３０を前進位置で掛止する係止部１２ｆ等が形成される（図２参照）。
【００２６】
案内係合部１２ｃは、案内孔１２ｂの両内側面の各々において、図４及び図５の(VII)〜(XII)に示すように、軸筒遠心方向側に位置する凸部１２ｃ１と、該凸部１２ｃ１の軸筒求心方向側に位置する凹部１２ｃ２とからなる断面凹凸状であって、軸筒軸方向へ連続する長尺状に形成されている。
そして、前記凹部１２ｃ２には、スライド操作体２０の鍔部２４（図６参照）と、押子３０の鍔部３１（図７及び８参照）とが、前後に並ぶように内在される。
【００２７】
係止部１２ｆは、図９に示すように、押子３０の案内面を前方（図９の左方向）へ向かう途中で軸筒求心方向へ凹ませた階段状に形成され、前進した後に軸筒求心方向へ移動した際の押子３０に対し、その後端部に掛止する。この係止部１２ｆは、案内孔１２ｂ内における押子３０の進退路を挟むようにして二つ設けられる。図９中、符号１２ｇは、前進した際の押子３０をスムーズに導いて係止部１２ｆに係止させるための突部である（詳細には特開２００５−１１１８７６参照）。
また、後軸１２内周面における案内孔１２ｂよりも若干前側には、規制段部１２ｈ，１２ｈが設けられる（図２参照）。これら規制段部１２ｈ，１２ｈは、押子３０の進退路を挟むようにして配置される。各規制段部１２ｈは、後述する押子３０の膨径部３７（図７及び図８参照）を受けるように形成される。
【００２８】
また、継手部材１３は、前軸１１の後端側内部から後軸１２の前端側内部にわたる略有底筒状の部材であり、その前端側部分に前軸１１を螺合するとともに、後端側に後軸１２を嵌合し、これら前軸１１と後軸１２との間にリング部材１５を装着する。
この継手部材１３の後端側を閉鎖する後端壁部１３ｄには、その中心部で後方へ突出するガイド棒１３ｄ１と、該ガイド棒１３ｄ１の周囲で複数のリフィール４０をそれぞれ挿通させるガイド孔１３ｄ２とが設けられている。
【００２９】
ガイド棒１３ｄ１は、断面三角形状であって軸筒軸方向へ延設された長尺棒状の部位である。
ガイド孔１３ｄ２は、ガイド棒１３ｄ１の周囲において周方向に間隔を置いて複数設けられた貫通孔である。
これらガイド棒１３ｄ１及びガイド孔１３ｄ２は、複数のリフィール４０が干渉し合うのを阻んで、各リフィール４０をスムーズに進退させる。
【００３０】
また、スライド操作体２０は、軸筒１０の外周部に露出された状態で軸筒１０の中心線に対し略平行に進退するように、後軸１２の後端側の案内孔１２ｂに係合している。
詳細に説明すれば、このスライド操作体２０は、前方へ向かって延設された外側片部２１と、同方向へ延設された内側片部２２と、前記案内孔１２ｂに挿通されて外側片部２１と内側片部２２とをその軸筒軸方向の後端側で接続する接続部２３と、内側片部２２よりも後端側で軸筒求心方向へ突出する膨出部２０ａと、案内孔１２ｂの案内係合部１２ｃに対し嵌り合う鍔部２４，２４と、押子３０の後端部に摺接して該後端部を軸筒求心方向へ移動させる傾斜面２５と、当該スライド操作体２０の最後端部に位置する後端突出部２６とを一体的に具備している（図６参照）。
【００３１】
外側片部２１は、軸筒１０の外周面にならう断面湾曲状に形成され、その内面を、軸筒１０における案内孔１２ｂよりも前側の部分の外周面に対し、軸筒軸方向へわたって略均一な間隔となるように、連続的に近接又は接触する。
【００３２】
内側片部２２は、外側片部２１に対し間隔を置いて略平行するように設けられ、その外側片部２１側の面を、軸筒１０における案内孔１２ｂよりも前側の部分の内周面に対し、軸筒軸方向へわたって略均一な間隔となるように、連続的に近接又は接触する。
【００３３】
この内側片部２２における軸筒求心方向側の面（図６によれば上側の面）には、後述する押子３０の係合部３２に対し軸筒軸方向へわたって凹凸状に嵌り合う被係合部２２ａが前後方向へわたって設けられている。
【００３４】
被係合部２２ａは、図示例によれば軸筒求心方向（図６によれば上方）を開放した断面略Ｖ字状の凹部であり、内側片部２２の略全長にわたって連続するように形成される。
【００３５】
接続部２３は、外側片部２１の後端側部分と、内側片部２２の後端側部分とを接続している部位であり、図示例によれば前後方向へ延設された長尺状に形成される。
この接続部２３は、スライド操作体２０が前進した際に、後軸１２における案内孔１２ｂの幅狭部１２ｂ３（図２参照）に対し嵌り合うように形成されている。
この構成によれば、スライド操作体２０が前進した際に、接続部２３を幅狭部１２ｂ３に遊嵌することで、スライド操作体２０の周方向へのがたつきを防ぐことができる。
【００３６】
内側片部２２及び接続部２３の後端側は、軸筒求心方向へ突出する膨出部２０ａに接続されている。この膨出部２０ａには、鍔部２４，２４及び傾斜面２５が設けられている。
鍔部２４は、内側片部２２の後方側において、内側片部２２よりも軸筒求心方向側（図６によれば上側）に位置し、且つ、膨出部２０ａから幅方向の両側へ突出するように二つ設けられる。
各鍔部２４は、後軸１２における案内係合部１２ｃの凹部１２ｃ２に対し、軸筒軸方向にわたって嵌り合うように形成される
【００３７】
また、傾斜面２５は、膨出部２０ａの前端部に位置し、内側片部２２の後端から、後方斜め軸筒求心方向へ傾斜する面である。この傾斜面２５は、図３（ａ）に示すように、押子３０及びスライド操作体２０が後退した初期位置においては、押子３０の後端部に当接するように配置される。
また、傾斜面２５は、図３（ｂ）に示すように、スライド操作体２０が前方へスライド操作された際には、押子３０の後端部に摺接して、該押子３０を軸筒１０内へ沈み込ませる。
【００３８】
また、後端突出部２６は、鍔部２４よりも更に後方へ突出した部分であり、図示例によれば略円筒状に形成される。この後端突出部２６の最後端部は、平坦面状に形成される。
この後端突出部２６は、スライド操作体２０が後退位置にある状態（図１及び図３（ａ）に示す状態）で、軸筒１０の後端側に装着される尾栓１４よりも後方側へ突出する。
【００３９】
また、押子３０は、軸筒１０に内在された状態で、スライド操作体２０に押圧されて前進し付勢部材５０の付勢力によって後退するように、後軸１２の後端側の案内孔１２ｂに係合している。
より詳細に説明すれば、この押子３０は、図７に示すように、後軸１２後端側の凹部１２ｃ２に嵌り合う鍔部３１と、スライド操作体２０の被係合部２２ａに対し嵌り合う係合部３２と、前進位置にある他の押子３０に対し干渉して該押子３０を後退させる前後の干渉部３３，３４と、押子３０の前端側でリフィール４０に嵌り合う嵌合部３５、嵌合部３５よりも若干後側で付勢部材５０の後端内部に嵌り合う付勢部材嵌合部３６と、付勢部材嵌合部３６よりも更に若干後側に位置する膨径部３７とを具備している。
【００４０】
鍔部３１は、押子３０の後端寄りに位置して幅方向へ突出するとともに、軸筒軸方向へわたる片状を呈し、図４（VIII）に示すように後軸１２後端側の凹部１２ｃ２に対し嵌り合う。
【００４１】
係合部３２は、押子３０における鍔部３１よりも更に後端側に位置し、軸筒軸方向へわたって軸筒遠心方向（図７によれば下方向）へ突出する突部であり、スライド操作体２０の内側片部２２に対し嵌り合うように断面Ｖ字状に形成されている。
【００４２】
前後の干渉部３３，３４は、押子３０後端側において軸筒求心方向（図７によれば上方向）へ突出する突部であり、前後に間隔を置いて配設される。前側の干渉部３３は、前進した際に、係止状態にある他の押子３０における後側の干渉部３４に干渉して、前記他の押子３０の係止状態を解除する。
【００４３】
嵌合部３５は、リフィール４０の後端開口部内に挿入されて、リフィール４０内周面に嵌合する。
付勢部材嵌合部３６は、付勢部材５０の後端部に嵌合している。
膨径部３７は、押子３０の軸心に対する遠心方向へ膨出した部位である（図７及び８参照）。該膨径部３７の前端面は、付勢部材着座嵌合部３６に嵌合された付勢部材５０の後端面を受ける。また、該膨径部３７の後端面は、押子３０が後退した際に、後軸１２内周面の規制段部１２ｈ，１２ｈに当接する。
【００４４】
また、リフィール４０は、図示例によれば、ボールペンチップである筆記部４１と、該筆記部４１の後端側に接続されたインクタンク４２とからなるボールペン用リフィールであり、その後端側に付勢部材５０を環状に装着した状態で、後端部を押子３０前端に接続している。
このリフィール４０は、前記ボールペン用リフィールに代えてシャープペンシル用リフィールとすることが可能である。
【００４５】
付勢部材５０は、リフィール４０の後端側に環状に装着されたコイルスプリングであり、その前端側が継手部材１３に受けられるとともに、その後端部によって押子３０及びリフィール４０を後方へ付勢している。
【００４６】
次に、上記構成の筆記具Ａについて、その特徴的な作用効果を詳細に説明する。
先ず、図３（ａ）に示すように、押子３０が後退位置にある際には、押子３０後端側の係合部３２と、スライド操作体２０の被係合部２２ａとが、軸筒軸方向へわたって軸筒径方向に嵌り合う。
なお、後軸１２内においては、付勢部材５０によって後方へ付勢された押子３０が、膨径部３７（図７及び図８参照）を後軸１２内周面の規制段部１２ｈ，１２ｈ（図２参照）に当接することで、後方への移動が規制されている。この際、スライド操作体２０は、その膨出部２０ａを、押子３０の係合部３２と尾栓１４との間に位置することで、押子３０と共に静止している。
【００４７】
スライド操作体２０が前方へスライド操作された際には、そのスライド動作中、押子３０後端側の係合部３２と、スライド操作体２０の被係合部２２ａとの嵌り合いが維持される。そして、この状態において、押子３０がスライド操作体２０に押圧されて前進することになる。
【００４８】
また、前記スライド動作中、スライド操作体２０は、後軸１２の案内係合部１２ｃに案内されて略直線的に前進するとともに、該スライド操作体２０の外側片部２１と内側片部２２の間を、軸筒１０における案内孔１２ｂ前側の周壁に遊嵌して行き（換言すれば、遊びを有する状態で嵌め合わせて行き）、更に、該スライド操作体２０の接続部２３を案内孔１２ｂの幅狭部１２ｂ３に対し遊嵌させて行く。
【００４９】
よって、スライド操作体２０及び押子３０の前進中、及び図３に示す前進位置においては、上述した各部の嵌り合いにより、スライド操作体２０と押子３０との間の軸筒周方向のがたつきや、スライド操作体２０と後軸１２との間の軸筒周方向及び軸筒径方向のがたつきを軽減して、スライド操作体２０の操作感を向上することができる。
【００５０】
また、当該筆記具Ａはスライド操作体２０の外側片部２１を軸筒１０の外周面に近接又は接触させる構造であるため、図１０に示すように、外側片部２１と軸筒１０外周面との間に、紙や布等の被挟持物Ｘを挟むことが可能であり、例えば衣類のポケットに掛ける等して利便性が良好である。
【００５１】
また、全てのスライド操作体２０及び押子３０を後退位置にした際には、軸筒周方向に間隔を置いて３以上設けられたスライド操作体２０の後端部が、軸筒１０後端部の尾栓１４よりも後方へ、略同一量突出するため、図１１に示すように、軸筒１０後端側を下方に向けて、当該筆記具Ａを略直立させることができる。
【００５２】
なお、上記実施の形態によれば、特に好ましい態様として、スライド操作体２０の前端側を軸筒１０周壁における案内孔１２ｂよりも前側部分に遊嵌する構成としたが、他例としては、スライド操作体２０の後端側を軸筒１０周壁における案内孔１２ｂよりも後側の部分に遊嵌する構成とすることも可能である。
【符号の説明】
【００５３】
１０：軸筒                    １２ｂ：案内孔
１２ｂ３：幅狭部              １２ｆ：係止部
２０：スライド操作体          ２１：外側片部
２２：内側片部                ２２ａ：被係合部
２３：接続部                  ３０：押子
３２：係合部                  Ａ：筆記具
【図１】
2010173244.tif 000003
【図２】
2010173244.tif 000004
【図３】
2010173244.tif 000005
【図４】
2010173244.tif 000006
【図５】
2010173244.tif 000007
【図６】
2010173244.tif 000008
【図７】
2010173244.tif 000009
【図８】
2010173244.tif 000010
【図９】
2010173244.tif 000011
【図１０】
2010173244.tif 000012
【図１１】
2010173244.tif 000013